(57)【要約】 【課題】用水路における両岸の笠木部の間に架設されている切梁の老朽化対策として、新規な切梁を構築する部材を提供する。【解決手段】補修対象の用水路の笠木部への装着体１１、及び装着体の前面に突設した用水路幅より長い梁体１２を備えた梁部材１と、笠木部への装着体２１、及び装着体の前面に適宜長さ突設した梁体載置部２２及び載置した梁体１２に被冠して梁体載置部２２と連結する抱持被冠部２３からなる非固定で連結する抱持連結体を備えた受け部材２とで構成し、用水路の幅員に合わせて梁体１２を切断して所定の長さとして、両岸笠木部０１にそれぞれ各装着体１１，２１を装着し、梁体１２を抱持連結体（２２，２３）と連結することで、梁体１２を用水路笠木間に架設する。【選択図】図１
2014101745.tif 000002
【特許請求の範囲】
【請求項１】
補修対象の用水路の笠木部前面と当接させる受け板部と、受け板部の上端から背後方向に延設した載置板部とを備えた装着体、及び前記装着体の前面に突設した用水路幅より長い梁体を備えた梁部材と、前記梁部材の装着体と同様の装着体、及び前記装着体の前面に梁体の先端を抱持して非固定で連結可能とした抱持連結体を備えた受け部材とで構成される用水路補修用切梁部材。
【請求項２】
梁部材を、梁体と、梁体の先端を抱持して非固定で連結可能とした抱持連結体を備えた装着体とで構成した請求項１記載の用水路補修用切梁部材。
【請求項３】
抱持連結体を、装着体から適宜長さ突設した梁体載置部と、載置した梁体先端部分に被冠して前記梁体載置部と連結する抱持被冠部で構成した請求項１又は２記載の用水路補修用切梁部材。
【請求項４】
梁体載置部を、梁体の断面形状と対応する半筒形状で、両側方に鍔部を突設したものとし、抱持体を、梁体に被冠する半筒状で、両側方に鍔部を上下より挟み込む折り返し挟持部を突設したものとした請求項３記載の用水路補修用切梁部材。
【請求項５】
抱持連結体を、装着体から適宜長さ突設し、梁体先端部分が挿着される筒部又は筒状梁体に装着される棒状部で構成した請求項１又は２記載の用水路補修用切梁部材。
【請求項６】
各装着体が、受け板部の下端から背後方向に、用水路側壁面から笠木部が張り出している長さより下方へ延設した抜け止め板部を備えてなる請求項１乃至又は５記載の用水路補修用切梁部材。
【請求項７】
抜け止め板部の両側に、背後端縁からスリットを設けて適宜幅の折り返し板部を形成してなる請求項６記載の用水路補修用切梁部材。
【請求項８】
両装着体の載置板部に、笠木部へのアンカーピン用透孔を設けてなる請求項１乃至７記載の何れかの用水路補修用切梁部材。
【発明の詳細な説明】
【技術分野】
【０００１】
本発明は、主として矢板鋼板によって側壁形成された農業用水路の補修に使用する梁部材に関するものである。
【背景技術】
【０００２】
矢板鋼板を両岸に打ち込み、矢板鋼板の上端に笠木コンクリート打設して形成した構造の用水路が知られている（特許文献１，特開２００２−１２９５３７号公報の図２）。
【０００３】
これらの用水路は経年変化によって補修が必要であり、補修手段としてコンクリート矢板で被覆する手段（特許文献１）、補修対象範囲を新たな鋼板で被覆する手段（特許文献２，特開２０１２−１８０７２８号公報）などが知られている。
【先行技術文献】
【特許文献】
【０００４】
【特許文献１】特開２００２−１２９５３７号公報の図２。
【特許文献２】特開２０１２−１８０７２８号公報。
【発明の概要】
【発明が解決しようとする課題】
【０００５】
矢板鋼板使用の農業用水路は、矢板を土中に打ち込んで両岸からの背圧を受け止めているものであり、前記背圧に対する耐久力を増すために笠木コンクリート間、または笠木コンクリートを形成するために矢板鋼板上に載置したＨ型鋼の間に、梁部材を架設している。
【０００６】
前記の梁部材に対しては、常時地盤からの圧力が加わっていると共に、用水路に水が流れているので当然に湿気があり、梁部材が金属製の場合には腐食して破損してしまう。梁部材が損傷して欠損すると、用水路が狭められ用水機能が低下してしまうので、用水路の全面改修に至らない前においては、梁部材の新規装着が即応的な対応である。
【０００７】
そこで本発明は、幅員が相違する用水路に対しても速やかに取り付けることのできる新規な用水路補修用切梁部材を提案したものである。
【課題を解決するための手段】
【０００８】
請求項１記載の発明に係る用水路補修用切梁部材は、補修対象の用水路の笠木部前面と当接させる受け板部と、受け板部の上端から背後方向に延設した載置板部とを備えた装着体、及び前記装着体の前面に突設した用水路幅より長い梁体を備えた梁部材と、前記梁部材の装着体と同様の装着体、及び前記装着体の前面に梁体の先端を抱持して非固定で連結可能とした抱持連結体を備えた受け部材とで構成されることを特徴とするものである。
【０００９】
而して梁体を当該用水路の幅員に合わせて切断して、梁部材及び受け部材の装着体を用水路の笠木部に装着すると共に、梁体の先端部分を抱持連結体に非固定で抱持して連結して、装着体に抜け止め処置を施すことで、梁体が用水路の切梁として新規に架設されることになる。従って梁体自体は両岸間で固定されるものではなく、梁体の先端面が受け部材の装着体に当接するのみであるから、両岸間に加わる圧力（地盤からの背圧）に対しては十分に耐え得るものであり、また地震等によって両岸間を拡げる力が加わった場合には、梁体先端が抱持連結体内で移動し、笠木部と装着体との間に力が加わらないので、設置した切梁にもまた切梁構築箇所の笠木部にも損傷は生じない。
【００１０】
請求項２記載に係る発明は、梁部材を独立した梁体と、梁体の先端を抱持して非固定で連結可能とした抱持連結体を備えた装着体とで構成したもので、梁体を独立部材とすることで、部材梁部材及び受け部材の双方に使用される装着体を同一構造とすることができる。
【００１１】
請求項３記載に係る発明は、抱持連結体の構成を特定したもので、抱持連結体を、装着体から適宜長さ突設した梁体載置部と、載置した梁体先端部分に被冠して前記梁体載置部と連結する抱持被冠部で構成したもので、梁体を所定の長さに切断した後に、受け部材の装着体を用水路の一方の岸の笠木部に装着し、梁部材の装着体を対岸の笠木部に装着すると共に、梁体の先端を梁体載置部に載置し、抱持被冠部を、載置した梁体に被冠して非固定状態で抱持連結するもので、受け部材を笠木部に装着した後に梁部材の笠木部への装着を行うために、梁体の長さの微調整作業を容易に行うことができる。
【００１２】
また請求項４に係る用水路補修用切梁部材は、前記の請求項３記載の抱持連結体の構成において、梁体載置部を、梁体の断面形状と対応する半筒形状で、両側方に鍔部を突設した、抱持被冠部を、梁体に被冠する半筒状で、両側方に鍔部を上下より挟み込む折り返し挟持部を突設したものである。前記部材は、梁体の先端を梁体載置部に載置した後に、抱持被冠部を梁体載置部外の梁体上面に被冠し、そのまま梁体載置部方向へ移動させると、折り返し挟持部が鍔部を上下に挟み込むので、挟持部をカシメたり、或いはスポット溶接で連結すると、抱持被冠部の装着作業が容易に行える。
【００１３】
請求項５記載に係る発明は、抱持連結体の構成を特定したもので、抱持連結体を、装着体から適宜長さ突設し、梁体先端部分が挿着される筒部或いは筒状梁体に装着される棒状部で構成したものである。前記部材は、梁体を所定の長さに切断した後に、梁体を筒部に挿入し或いは棒状部を筒状梁体に挿入して、両装着体の載置板部を笠木体の上面に載置し、梁体が笠木部と直交する位置で、装着体を適宜な手段で抜け止め処置を施して切梁の構築を行うものである。
【００１４】
また請求項６に係る用水路補修用切梁部材は、上記の各部材において装着体の抜け止め処置の構造を特定したもので、各装着体が、受け板部の下端から背後方向に、用水路側壁面から笠木部が張り出している長さより下方へ延設した抜け止め板部を備えてなる。従って装着体の載置板部を笠木部の上面に載置し、抜け止め部を笠木部の下方に差し入れることで、装着体の上方への離脱が阻止され、装着体を容易に笠木部に取り付けることができるものである。
【００１５】
更に請求項７に係る用水路補修用切梁部材は、前記の請求項６の構成において、特に前記抜け止め板部の両側に、背後端縁からスリットを設けて適宜幅の折り返し板部を形成してなるものである。従って、装着体を笠木部に取り付けたのちに、折り返し板部を、笠木部を構成するＨ型鋼の下縁背面に折り返すと、装着体の笠木部からの離脱が確実に防止できる。
【発明の効果】
【００１６】
本発明は上記のとおり、補修対象の用水路の現場において、用水路の幅員に直ぐに対応でき、且つ簡単に装着できる切梁部材を提供できたもので、地盤背圧による用水路の狭幅化への対策が容易にでき、また地震などの地盤変動に対しても破損することがない。
【図面の簡単な説明】
【００１７】
【図１】本発明部材の第一実施例の全体斜視図。
【図２】同装着作業の説明図（平面図）。
【図３】同図（断面図）。
【図４】同図（要部斜視図）。
【図５】同装着後の斜視図。
【図６】同第二実施例の全体斜視図。
【図７】同装着前の状態の説明図。
【図８】同装着後の説明図。
【図９】同第三実施例の装着前の状態の説明図。
【図１０】同装着後の説明図。
【発明を実施するための形態】
【００１８】
次に本発明の実施形態を、三実施例に基づいて説明する。本発明に係る用水路補修用切梁部材を使用する対象は、笠木部０１を備えた水路０３であれば良い。例えば矢板鋼板０２を使用の農業用水路は、矢板鋼鈑０２を土中に打ち込んで両岸からの背圧を受け止めて、水路０３を確保し、更に前記矢板鋼板０２の上縁に笠木部０１を設けて用水路上縁を地面と仕切っているものである。この笠木部０１は、矢板鋼板０２に被冠したＨ型鋼０４とＨ型鋼０４の上部に打設した笠木コンクリート０５で構成されているものである。
【００１９】
前記の水路０３を補修対象とした本発明の用水路補修用切梁部材は、梁部材（１，１Ａ）と受け部材（２，２Ａ）で構成されるもので、図１乃至５は第一実施例を示し、この実施例は、受け部材２の抱持連結体を梁体載置部２２と抱持被冠部２３で構成した例である。
【００２０】
梁部材１は、笠木部０１への装着体１１と、装着体１１の前面に突設した用水路幅より長い梁体１２を備えたもので、前記の梁体１２は、金属パイプで形成され、概ね水路間隔（両岸の笠木部０１の間隔）と対応する長さとしたものである。用水路は規格化されており、その水路幅は定まっているので、当該規定長さより少し大きくしておくものである。
【００２１】
受け部材２は、装着体２１と、装着体２１の前面に突設した梁体載置部２２及び抱持被冠部２３で構成される。
【００２２】
また装着体１１，２１は同一構造で、受け板部１１１，２１１と、載置板部１１２，２１２と、抜け止め板部１１３，２１３と、折り返し板部１１４，２１４を備えているものである。
【００２３】
受け板部１１１，２１１は、梁体１２及び梁体載置部２２を突設しており、高さは笠木部０１と一致させ、幅は笠木部０１を抑え込むに充分な幅としたものである。
【００２４】
載置板部１１２，２１２は、前記受け板部１１１，２１１の上端から背後方向に延設したもので、笠木部０１の笠木コンクリート０５の上面を十分な範囲で覆うような大きさとしたものである。
【００２５】
抜け止め板部１１３，２１３は、前記受け板部１１１，２１１の下端から背後方向に延設したもので、笠木部０１のＨ型鋼０４の前面と矢板鋼板０２の前面までの距離以下、即ち用水路側壁面から笠木部分が張り出している長さ以下の突出長さとしたものである。
【００２６】
折り返し板部１１４，２１４は、前記抜け止め板部１１３，２１３の両側部分に、背後端縁からスリット１１５，２１５を設けて、左右両側に適宜幅で形成したものである。
【００２７】
受け部材２の梁体載置部２２は、装着体２１の前面に適宜長さ突設したもので、梁体１２の断面形状と対応する半筒形状で、両側方に鍔部２２１を翼様に突設したものである。また抱持被冠部２３は、梁体１２に被冠する半筒状で、両側方に前記鍔部を上下より挟み込む折り返し挟持部２３１を突設したものである。
【００２８】
而して補修対象の用水路０３に前記部材１，２を使用して切梁を構築するもので、補修対象である用水路の両岸の矢板鋼板０２が地盤背圧によって水路側に傾斜している場合は、笠木部０１間にジャッキを介在させて両岸間隔をできるだけ施工時の間隔に拡げて切梁構築作業を行う。
【００２９】
逆に水路両岸の笠木部０１の間隔が拡がっている場合や、狭い場合でも当該状態が安定しているときには、その状態のまま切梁の取り付けを行う。
【００３０】
最初に用水路０３における両岸笠木部０１の幅員に合わせて梁体１２を切断して所定の長さとする。そして両岸笠木部０１にそれぞれ梁部材１と受け部材２の各装着体１１，２１を笠木部０１に装着する。
【００３１】
装着体１１，２１の笠木部０１への装着は、載置板部１１２，２１２を笠木部０１の笠木コンクリート０５の上面に載置すると共に、抜け止め板部１１３，２１３を、笠木部０１を構成するＨ型鋼０４の下方に差し入れ、スリット１１５，２１５によって細幅に形成された折り返し板部１１４，２１４をＨ型鋼０４の下縁背面へ折り返すものである。
【００３２】
前記の装着体１１，２１の笠木部０１への装着と同時に、梁体１２は梁体載置部２２に載置され、先端は受け板部２１１に当接するようにして、抱持被冠部２３を取り付ける。
【００３３】
抱持被冠部２３の取り付けは、抱持被冠部２３を梁体載置部２２から外れた位置の梁体１２の上面に被冠し、そのまま梁体載置部２２の方向へ移動させると、折り返し挟持部２３１が鍔部２２１を上下に挟み込むので、折り返し挟持部２３１をカシメ、或いはスポット溶接で鍔部２２１と連結すると、抱持被冠部２３が容易に梁体載置部２２と連結されるものである。
【００３４】
従って両装着体１１，２１が笠木部０１に装着され、その間に梁体１２が架設されることになって、新規な切梁が構築されることになり、特に梁体１２は切断することで長さ調整ができ、これによって用水路０３の幅員に変位があっても対応できるものである。
【００３５】
また梁体１２は両岸間で固定されるものではなく、梁体１２の先端が受け部材２の装着体２１の受け板部２１１の前面に当接して架設されるものであるから、両岸間に加わる圧力（地盤からの背圧）に対しては十分に耐え得るものである。また地震等によって両岸間を拡げる力が加わった場合には、梁体１２の先端側部分が梁体載置部２２と抱持被冠部２３で形成された筒状内で移動し、両岸の幅員の変動に際しても、笠木部０１と装着体１１，２１との間に外力が加わらず、構築した切梁箇所に損傷は生じない。
【００３６】
尚、前記実施態様として、矢板鋼板０２を使用した用水路を対象例として説明したが、本考案に係る梁部材は、笠木部０１を備えた用水路の全てに適用できるものであり、また笠木部０１にＨ型鋼０４を使用せずに、笠木部０１が笠木コンクリートのみで形成されている用水路においても、単に折り返し板部１１４，２１４の折り返し作業を行わないのみであり、そのまま適用できるものである。
【００３７】
また図６乃至８は第二実施例を示し、この実施例は、受け部材２の抱持連結体を筒部２４で形成した例である。
【００３８】
梁部材１ａは、前記第一実施例の梁部材１と同様に装着体１１と、装着体１１の前面に突設した用水路幅より長い梁体１２を備えたものである。
【００３９】
受け部材２ａは、装着体２１と、装着体２１の前面に突設した筒部２４で構成される。
【００４０】
装着体１１，２１は、前記第一実施例のものと同様の受け板部１１１，２１１と、載置板部１１２，２１２を備え、載置板部１１２，２１２の上面には、笠木部０１へのアンカーピン用透孔１１６，２１６を設けてなる。
【００４１】
受け部材２ａの筒部（抱持連結体）２４は、装着体２１の前面に適宜長さ突設したもので、梁体１２の断面形状と対応する内径を備えたものである。
【００４２】
而して補修対象の用水路０３に前記部材１ａ，２ａを使用して切梁を構築するもので、補修対象である用水路の両岸の矢板鋼板０２が地盤背圧によって水路側に傾斜している場合は、前記第一実例の場合と同様に笠木部０１間にジャッキを介在させて両岸間隔をできるだけ施工時の間隔に拡げて切梁構築作業を行う。
【００４３】
梁体１２の長さを用水路０３における両岸笠木部０１の幅員に合わせて切断し、梁体１２を筒部２４に挿入して、梁部材１ａと受け部材２ａが連結した状態とする（図７）。その状態でそのまま用水路０３の笠木部０１間に差し入れ、載置板部１１２，２１２を笠木部０１の笠木コンクリート０５の上面に載置する。
【００４４】
前記の載置作業によって連結された切梁部材１ａ，２ａは、笠木部０１に対して非固定状態で架設され、その後アンカーピン用透孔１１６，２１６から、アンカーピン０６を笠木コンクリートに打ち込み、装着体１１，２１を笠木部０１に固定するものである。
【００４５】
従って両装着体１１，２１は、笠木部０１に固定され、その間に梁体１２が架設されることになって、新規な切梁が構築されることになる。特に梁体１２は切断することで長さ調整ができ、これによって用水路０３の幅員に変位があっても対応できるものである。
【００４６】
また梁体１２は両岸間で固定されるものではなく、梁体１２の先端が受け部材２の装着体２１の筒部２４に挿入された状態で、梁体１２の前端面が筒部２４の底面（装着体２１の前面）に当接して架設されるものであるから、両岸間に加わる圧力（地盤からの背圧）に対しては十分に耐え得るものである。また地震等によって両岸間を拡げる力が加わった場合には、梁体１２の先端側部分が筒部２４内で移動し、両岸の幅員の変動に際しても、笠木部０１と装着体１１，２１との間に外力が加わらず、アンカーピン０６に対しても強い力が加わらず、構築した切梁箇所に損傷は生じない。
【００４７】
尚前記第二実施例において、抱持連結体を梁体１２が装着される筒部２４としたが、梁体１２を筒状とし、抱持連結体を棒状部とし、棒状部が筒状梁体の先端部分に装着されるようにしても良い。また抜け止め構造に関しては、第一実施例で示した構造を付加するようにしても良い。
【００４８】
また図９及び１０は第三実施例を示し、この実施例は、梁部材１ｂが、独立した梁体１２と、抱持連結体（筒部）１３を備えた装着体１１ａで構成され、前記装着体１１ａは、前記第二実施例の受け部材２ａと同様の構造である。
【００４９】
而して補修対象の用水路０３に対しては、前記第一、二実施例と同様に梁体１２の長さを用水路０３における両岸笠木部０１の幅員に合わせて切断し、梁体１２を梁部材１ｂの筒部１３及び受け部材２ａの筒部２４に挿入して、梁部材１ａと受け部材２ａが連結した状態とする。その状態でそのまま用水路０３の笠木部０１間に差し入れ、載置板部１１２，２１２を笠木部０１の笠木コンクリート０５の上面に載置する。
【００５０】
前記の載置作業によって連結された切梁部材１ｂ，２ａは、笠木部０１に対して非固定状態で架設され、その後アンカーピン用透孔１１６，２１６から、アンカーピン０６を笠木コンクリートに打ち込み、装着体１１ａ，２１を笠木部０１に固定するものである。
【００５１】
従って両装着体１１ａ，２１は、笠木部０１に固定され、その間に梁体１２が架設されることになって、新規な切梁が構築されることになる。特に梁体１２は切断することで長さ調整ができ、これによって用水路０３の幅員に変位があっても対応できるものである。
【００５２】
また特に梁体１２は独立部材で且つ両装着体１１ａ，２１には非固定状態で連結され、両岸間で固定されていないので、前記第一、第二実施例と同様に両岸間に加わる圧力（地盤からの背圧）に対しては十分に耐え得るものであり、また地震等によって両岸間を拡げる力が加わった場合でも、梁体１２の先端側部分が筒部２４内で移動し、両岸の幅員の変動に際しても、笠木部０１と装着体１１，２１との間に外力が加わらず、アンカーピン０６に対しても強い力が加わらず、構築した切梁箇所に損傷は生じない。
【符号の説明】
【００５３】
１，１ａ，１ｂ      梁部材
１１，１１ａ    装着体
１１１    受け板部
１１２    載置板部
１１３    抜け止め板部
１１４    折り返し板部
１１５    スリット
１１６    アンカーピン用透孔
１２    梁体
１３    筒部（抱持連結体）
２，２ａ      受け部材
２１    装着体
２１１    受け板部
２１２    載置板部
２１３    抜け止め板部
２１４    折り返し板部
２１５    スリット
２１６    アンカーピン用透孔
２２    梁体載置部（抱持連結体）
２２１    鍔部
２３    抱持被冠部（抱持連結体）
２３１    折り返し挟持部
２４    筒部（抱持連結体）
０１    笠木部
０２    矢板鋼板
０３    用水路
０４    Ｈ型鋼
０５    笠木コンクリート
０６    アンカーピン
【図１】
2014101745.tif 000003
【図２】
2014101745.tif 000004
【図３】
2014101745.tif 000005
【図４】
2014101745.tif 000006
【図５】
2014101745.tif 000007
【図６】
2014101745.tif 000008
【図７】
2014101745.tif 000009
【図８】
2014101745.tif 000010
【図９】
2014101745.tif 000011
【図１０】
2014101745.tif 000012